(57)【特許請求の範囲】
【請求項１】
対象環境の煙濃度Ｓを検出する煙検出器と、
対象環境の温度Ｔを検出して所定の短時間内の温度差ΔＴを与える温度検出器と、
火災判定のための複数の主要基準を保持する閾値手段とを備え、
この複数の主要基準とは、
（１）煙濃度Ｓが第１の煙閾値Ｓ１を超えるか、
（２）温度差ΔＴが第１の温度差閾値ＴＤ１を超えるか、
（３）煙濃度Ｓと温度差ΔＴとの組み合わせが、煙濃度Ｓの増加に伴って温度差ΔＴが減少する関数に基づく不等式を満足するかであり、
検出した温度差ΔＴと煙濃度Ｓを上記の主要基準と照合するように処理して、いずれかの主要基準が満足された場合に火災発生の可能性を示す火災警告信号を出力するコントローラを備えた火災警報システムであって、
上記システムは、上記の第１の煙閾値（Ｓ１）、第１の温度差閾値（ＴＤ１）乃至不等式の少なくとも一つを補正して上記の主要基準を変更することによって互いに異なる動作モードで動作可能となるように構成され、
上記閾値手段は上記の主要基準と類似するが夫々低い閾値及び関数を備えた厳格基準を保持し、
上記コントローラは、
ａ）検出した温度差ΔＴと煙濃度Ｓを上記の厳格基準と照合して、過去の所定期間内においてこの基準の内のどの基準が何回満たされたかを示す火災指標を与え、
ｂ）この火災指標に基づいて上記の異なる動作モードの内の一つを選択するように構成されたことを特徴とする火災警報システム。
【請求項２】
上記第１煙閾値Ｓ１は、上記第１温度差閾値ＴＤ１よりも小さな所定の下限値ＴＤＬＯＷ以下の低い領域での温度差ΔＴについて上記関数によって与えられる煙濃度Ｓよりも大きく、
上記第１温度差閾値ＴＤ１は、上記第１煙閾値Ｓ１よりも小さな所定の下限値ＳＬＯＷ以下の低い領域での煙濃度Ｓについて上記関数によって与えられる温度差ΔＴよりも大きくなったことを特徴とする請求項１に記載の火災警報システム。
【請求項３】
上記の主要基準には更に、検出温度が第１の温度閾値Ｔ１を超えるかを含むことを特徴とする請求項１に記載の火災警報システム。
【請求項４】
上記コントローラは、一定の短時間間隔で、上記の主要基準のいずれかが満たされているかをチェックし、
上記コントローラは、上記の火災警告信号の発生から、火災決定時間を与え、この火災決定時間中継続して、上記の主要基準のいずれかが満たされた時に、真の火災発生を示す火災警報信号を発することを特徴とする請求項１に記載の火災警報システム。
【請求項５】
上記コントローラは、上記の主要基準の内のどれが参照されて上記の火災警告信号が発生されたかによって、上記の火災決定時間を変化させて、真の火災発生の決定に重み付けを行うための重み付け機能を有する。ことを特徴とする請求項４に記載の火災警報システム。
【請求項６】
上記の異なる動作モードは互いに異なる決定時間範囲を与えることを特徴とする請求項４に記載の火災警報システム。
【請求項７】
上記システムには、上記火災決定時間を決定するための異なる方法を記載した時間テーブルが備えられ、
上記コントローラは、火災警告信号を与えるのに、上記の主要基準の内のどれが参照されたかによって上記時間テーブルから火災決定時間を決定する一つの方法を選択し、
上記システムには、異なる動作モードが与えられて、少なくも一つの動作モードは、時間テーブルで規定された火災決定時間を、特定の方式で変更するものであり、
上記閾値手段は上記の主要基準と類似するが夫々低い閾値及び主要基準と異なる関数の不等式を備えた厳格基準を保持し、
上記コントローラは、
ａ）検出した温度差ΔＴと煙濃度Ｓを上記の厳格基準と照合して、過去の所定期間内においてこの基準の内のどの基準が何回満たされたかを示す火災指標を与え、
ｂ）この火災指標に基づいて上記の異なる動作モードの内の一つを選択し、
ｃ）選択された動作モードでの特定の方式に基づいて、時間テーブルで規定された火災決定時間を変更し、
ｄ）この変更された火災決定時間に基づいて真の火災判定を行う。
ことを特徴とする請求項４に記載の火災警報システム。
【請求項８】
上記の主要基準（１）や（３）が満足された時に火災決定時間を変更する方式は、
ａ）直前の期間に亘って上の主要基準を満たす複数回の煙濃度Ｓをサンプリングし、
ｂ）サンプリングした煙濃度について、主要基準（１）と（３）との内の対応する基準によって決定される煙濃度レベルを超える量を求め、
ｃ）煙濃度の超過量を合計し、
ｄ）この合計量を上記の火災決定時間に変換することを特徴とする請求項７に記載の火災警報システム。
【請求項９】
上記の閾値手段は、選択された動作モードに基づいて、上記第１煙閾値Ｓ１と上記不等式の関数との内の少なくとも一つを変更することを特徴とする請求項６に記載の火災警報システム。
【請求項１０】
上記の不等式の関数は、α・Ｓ＋ΔＴ≧βで示される一次関数であり、Ａ、Ｂは定数であることを特徴とする請求項１に記載の火災警報システム。
【発明の詳細な説明】
【０００１】
【発明の属する技術分野】
本発明は火災警報システム、更に詳しくは、火災に関連する異なる２つの物理パラメータの分析によって火災の存在を判定する火災警報システムに関するものである。
【０００２】
【従来の技術】
特開平４−２７０４９３号公報（特許文献１）は火災警報システムを開示している。このシステムでは、煙濃度及び周囲温度を火災に関連する異なるパラメータとして検出し、この２つの検出パラメータを分析して火災の判定を行っている。この目的のため、このシステムは閾値として、煙濃度と周囲温度との積である関数によって規定される不等式を用いている。
【０００３】
【特許文献１】
特開平４−２７０４９３号公報（要約、図２）
【０００４】
【発明が解決しようとする課題】
このような火災判定手法は、ある環境においては満足できるものの、異なる火災原因が考えられる多種に亘る環境における火災判定に対しては不十分であることが判明した。すなわち、この従来のシステムにおいては、２つのパラメータの内の一方または両方が比較的低レベルである条件のものとでは、火災の認識が行えない問題があった。例えば、燻焼火災のように初期の温度上昇が少なくて火炎を伴わない火災の場合や、特に冬季における低温度環境におけるアルコール燃焼のように低レベルの煙濃度が生じる火災については、信頼できる火災判定ができないという問題があった。
【０００５】
【課題を解決するための手段】
本発明は上記の問題点を解消するものであり、異なる原因によって引き起こされる火災の判定を確実に行うことができる火災警報システムを提供するものである。本発明に係る火災警報システムは、対象環境の煙濃度Ｓを検出する煙検出器、及び対象環境の温度Ｔを検出して所定の短時間内の温度差ΔＴを与える温度検出器を備える。このシステムには、火災判定のための複数の主要基準を保持する閾値手段が備えられており、この複数の主要基準とは、
（１）煙濃度Ｓが第１の煙閾値Ｓ１を超えるか[例えば、Ｓ≧５％／ｍ]、
（２）温度差ΔＴが第１の温度差閾値ＴＤ１を超えるか[例えば、ΔＴ≧１８℃]、
（３） 煙濃度Ｓと温度差ΔＴとの組み合わせが、煙濃度Ｓの増加に伴って温度差ΔＴが減少する関数に基づく不等式［例えば、２Ｓ＋ΔＴ≧１２］を満足するかである。
【０００６】
このシステムはコントローラを備え、検出した温度差ΔＴと煙濃度Ｓを上記の主要基準を参照して処理し、いずれかの主要基準が満足された場合にコントローラが火災発生の可能性を示す火災警告信号を出力する。
このように、煙濃度（Ｓ）、温度差（ΔＴ）、及びこれらのパラメータの関数に関して、適宜の基準を選択することにより、多種の環境において発生する火災の検出を精度良く検出できる。特に、温度差を一つの基準として採用し、この温度差（ΔＴ）を一つの変数として煙濃度（Ｓ）と組み合わせて不等式を構築することで、各種の原因にて引き起こされる火災について、早い時期において、信頼性の高い火災判定を容易に行うことができる。
本発明では、更に、煙検出器や温度検出器が設置される実際の環境を学習してこれを反映できるように本システムをよりインテリジェントとするために、上記の第１の煙閾値（Ｓ１）、第１の温度差閾値（ＴＤ１）乃至不等式の少なくとも一つを補正して上記の主要基準を変更することによって互いに異なる動作モードで動作可能となるように構成される。この場合、閾値手段は、上記の主要基準と類似するが夫々低い閾値（Ｓ２、ＴＤ２）及び主要基準と異なる関数の不等式を備えた厳格基準を保持する。上記コントローラは、次のように作動するように構成される。
（ａ）検出した温度差ΔTと煙濃度Ｓを上記の厳格基準と照合して、過去の所定期間内においてこの基準の内のどの基準が何回満たされたかを示す火災指標を与え、
（ｂ）この火災指標に基づいて上記の異なる動作モードの内の一つを選択する。
好ましくは、上記のコントローラは、一定の時間間隔で、上記の主要基準のいずれか一つでも満たされているかどうかをチェックし、本当に火災が存在するかを確実に検知するための火災判定機能を備えるように構成される。すなわち、火災警告信号の発生があると、この火災判定機能により火災判定時間が与えられ、この火災判定時間中に継続して、上記の主要基準のいずれかが満たされた時に、真の火災発生を示す火災判定信号を発する。
【０００７】
上記の第１の煙閾値（Ｓ１）は、第１温度差閾値ＴＤ１よりも小さな所定の下限値ＴＤＬＯＷ以下の低い領域での温度差ΔＴについて上記関数によって与えられる煙濃度Ｓよりも大きくなるように選択される。同様に、上記第１温度差閾値ＴＤ１は、上記第１煙閾値Ｓ１よりも小さな所定の下限値ＳＬＯＷ以下の低い領域での煙濃度Ｓについて上記関数によって与えられる温度差ΔＴよりも大きくなるように選択される。これらの閾値（Ｓ１、ＴＤ１）を選択することで、ヨーロッパ基準ＥＵ５４−９にて規定されている火災種別ＴＦ６（アルコール発炎）のような強い熱と低い煙濃度が特徴の火災や、火災種別ＴＦ２（木材の熱分解による燻焼）や、ＴＦ３（綿灯芯燻焼）のような熱が少ないものの煙が多いことが特徴の燻焼火災を間違いなく検出することができる。
【０００８】
更に、急速な熱上昇を伴う火災についてより信頼性の高い火災検出を行うために、上記の主要基準に、検出温度が第１の温度閾値Ｔ１［例えばＴ≧５７℃］を超えるかどうかを含めることが好ましい。
【０００９】
上記コントローラには、重み付け機能を備えることが望ましく、この重み付け機能では、上記の主要基準の内のどれが参照されて上記の火災警告信号が発生されたかによって、上記の火災判定時間を変化させて、真の火災発生の判定に重み付けを行う。
【００１１】
本システムではそれぞれ異なる火災判定時間を有する異なる動作モードを備えるように設計することが好ましい。このようにして、実際の環境を反映するものとして選択された動作モード毎に異なる火災判定時間に基づいて、真の火災判定が行える。
詳述すると、本システムには、実際の環境に適した火災判定時間を規定するための異なる方法を明記する時間テーブルが備えられており、コントローラは、主要基準の内のどの基準を根拠として火災警告信号が発生したかによって、火災判定時間を規定する方法をこの時間テーブルから選択する。上の動作モードの少なくとも一つは、特定の手法に則って時間テーブルにおける火災判定時間を変更するように定義される。この場合、コントローラは、以下の動作を行う。
（１）検出した温度差ΔＴと煙濃度Ｓを上記の厳格基準と照合して、過去の所定期間内においてこの基準の内のどの基準が何回満たされたかを示す火災指標を与え、
（２）この火災指標に基づいて上記の異なる動作モードの内の一つを選択し、
（３）選択された動作モードでの特定の方式に基づいて、時間テーブルで規定された火災判定時間を変更し、
（４）この変更された火災判定時間に基づいて真の火災判定を行う。
このため、実際の環境に即すことができるようにシステム自体によって学習されたより洗練された方式に則って真の火災の存在の検出を信頼性よく行うことができる。
【００１２】
上記の主要基準（１）や（３）の一つが満足された時に火災判定時間を変更する方式は、例えば、以下のようにして定義される。
（ａ）直前の時間範囲内で上の主要基準を満たす複数回の煙濃度（Ｓ）をサンプリングし、
（ｂ）サンプリングした煙濃度（S）について、主要基準（１）と（３）の内の対応する基準によって判定される煙濃度レベルを超える量を求め、
（ｃ）煙濃度（Ｓ）の超過量を合計し、
（ｄ）この合計量を上記の火災判定時間に変換する。
【００１３】
また、上記の閾値手段は、選択された動作モードに基づいて、上記第１煙閾値Ｓ１と不等式の関数の内少なくとも一方を変更するようにしてもよい。
また、上記の不等式の関数は、数値処理が容易なように、α・Ｓ＋ΔＴ≧βで示される一次関数とすることができる。この場合、Ａ，Ｂは定数である。
【００１４】
上述した目的や有用な特徴及びその他の特徴については、添付図面に基づいて説明する発明の実施形態の内容から明白である。
【００１５】
【発明の実施の形態】
本発明の火災警報システムの好ましい実施例について図面を参照して説明する。図２に示すように、本システムは対象となる環境での煙濃度（Ｓ）を検知する煙感知器１０と、この環境の温度を検出する温度検出器２０とで構成される複合型の検出器を使用するものであり、この温度検出器２０は、毎秒時に、現在時刻での温度と例えば１６８秒前での温度との温度差（ΔＴ）を検出する。煙検出器１０は公知の光拡散型のもので、単位長さ当たりの光の減衰率（％／ｍ）で示される煙濃度（Ｓ）を与える。検知された煙濃度（Ｓ）と温度差（ΔＴ）は、現在の温度（Ｔ）と共にコントローラ４０へ送られて、ここにおいて、主要基準や、いろんな環境における特定の条件によって定められる種々の火災判定時間を参照して分析されて真の火災判定が行われる。真の火災判定がなされると、コントローラ４０は真の火災を示す火災警報信号を、インターフェース６０を介して伝送ユニット７０へ送られ、伝送ユニット７０はこれを受けて火災警報信号を外部の管理ステーション８０へ送信し、ここで消火目的のために処理される。後述するように、上記の主要基準は、厳格基準と共に閾値テーブル５１内に保持され、火災判定時間は時間テーブル５２にて規定される。これらのテーブルはマイクロプロセッサーと連動するメモリー５０に保持され、コントローラ４０、インターフェース６０、伝送ユニット７０はマイクロプロセッサーによって実現される。この意味において、検出器以外は、１チップマイクロコンピュータによって構成されるものである。
【００１６】
火災の判定
要約すると、本システムでは、主要基準を参照した火災警告状況があり、且つこの火災警告状況が火災判定時間の間継続した時にのみ、火災警報信号を発生するように構成されている。図１に示すように、この主要基準とは以下のものである。
（１）煙濃度Ｓが第１の煙閾値Ｓ１を超えるか［例えば、Ｓ≧５％／ｍ]、
（２）温度差ΔＴが第１の温度差閾値ＴＤ１を超えるか[例えば、 ΔＴ≧１８℃]、
（３）煙濃度Ｓと温度差ΔＴとの組み合わせが、煙濃度Ｓの増加に伴って温度差ΔＴが減少する関数に基づく不等式［例えば、２Ｓ + ΔＴ ≧１２］を満足するか、
（４）検出温度Ｔが第１の温度閾値Ｔ１［例えば、Ｔ≧５７℃］を超えるか。
以下の説明では上の関数を第１複合閾値と称することにする。上記の主要基準のどれか一つでも満足されると、コントローラ４０は火災警告信号を発生し、この火災警告状況が発生した直後からこの状況が火災判定時間に亘って継続しているかどうかを検証する検証プロセスに進み、この火災警告状況が火災判定時間の間継続した場合に、コントローラ４０が火災警報信号を発生する。この火災判定時間は、主要基準の内のどれが満足されたかよって、また、複合検出器が設置された実際の環境を反映する所定の種々の動作モードからどの特定の動作モードをシステムが選択しているかによって、変更される。
【００１７】
学習及び動作モードの決定
本システムを実際の環境に適合させて火災検知の信頼性を高めるために、本システムでは、どの動作モードが実際の環境に合致するかを学習するようにプログラムされている。このため、閾値テーブル５１は、図３に示すように、上記の主要基準に類似した厳格な基準を有するものであり、この厳格な基準とは以下の通りである。
（１）煙濃度Ｓが第２の煙閾値Ｓ２を超えるか［例えば、 Ｓ≧２２．５％／ｍ]、
（２）温度差ΔＴが第２の温度差閾値ＴＤ２を超えるか［例えば、 ΔT≧１２℃］、
（３）煙濃度Ｓと温度差ΔＴとの組み合わせが、煙濃度Ｓの増加に伴って温度差ΔＴが減少する関数に基づく不等式［例えば、２Ｓ + ΔＴ ≧１０］を満足するか。ここでの関数は第２複合閾値と称す。
【００１８】
図４に示すように、本システムのおける動作モードには、既定モード、クリーンルームモード、暖房モード、調理モード、喫煙・湯気モードがある。厳密に言えば、これらの動作モードの内の一つまたはそれ以上にあっては、それぞれ火災判定時間について固有の決め方があり、動作モードによって異なる火災判定時間を設定することが可能となっている。また、既定モードと喫煙・湯気モード以外のモードでは、以下の表１に示すように、主要基準の内の一つまたはそれ以上を変更するようになっている。
【００１９】
【表１】
0004066761.tif 000002
【００２０】
コントローラ４０は、過去１ヶ月の間に主要基準の内のどの基準が何回満たされたかを基準にして、動作モードを選択する。この期間に３回以上第２の温度差閾値ＴＤ２を超えると、暖房モードが火災判定のために選択される。また、この期間に３回以上第２の複合閾値（２Ｓ＋ΔＴ≧１０）を超えると、調理モードが選択される。またこの期間に３回以上第２煙閾値（Ｓ２）を超えると、喫煙・湯気モードが選択される。更に、この期間にこの厳格基準のいずれもが満たされない場合は、クリーンルームモードが選択される。これ以外の場合は、既定モードが選択される。
【００２１】
実際の環境を学習して適当な動作モードを選択した後、システムは選択された動作モードによって変更されたかもしくは変更されなかった主要基準を参照すると同時に、選択された動作モードに特有であって主要基準の内のなにが使用されるによって決まる火災判定時間を参照して火災の判定を行う。
【００２２】
火災判定時間及び火災判定
１）第１温度差（ＴＤ１）が満足された（ΔＴ≧１８℃）、または第１温度閾値（Ｔ１）が満足された（Ｔ≧５７℃）ことで火災警告信号が出された場合、火災判定時間は９秒間に固定される。ΔＴ≧１８℃の条件は、ヨーロッパ基準ＥＵ５４−９で規定される火災種別ＴＦ６（アルコール発炎）に典型的なものであり、図１にて例示するような火災特徴を示すものである。この火災警告信号が出された直後からこの火災警告状態が９秒以上継続すると、コントローラ４０は真の火災が存在するとして火災警報信号を発生する。
【００２３】
２）第１煙閾値（Ｓ１）が満足された（Ｓ≧Ｓ１）ことで火災警告信号が出された場合は、喫煙・湯気モードが選択されているかいないかによって異なる火災判定時間が決定される。この火災警告状態は、図１にて例示するような火災特徴に見られるＴＦ２（木材の熱分解による燻焼）や、ＴＦ３（綿灯芯燻焼）、ＴＦ４（ポリウレタン発炎）に固有のものである。尚、ＴＦ４には、急激な煙濃度の増加を伴わない火災が含まれる。このような火災はまた第１複合閾値を使用することで確実に認識することができる。
【００２４】
喫煙・湯気モードが選択されなかった場合は、コントローラ４０は直前の６０秒間に検出された煙濃度の平均値を算出し、以下の表２に示す時間テーブル５２から、この平均値に対応する火災判定時間を取り出す。この火災警告状態が最初に出現した後、このようにして取り出された火災判定時間の間、火災警告状態が継続すると、コントローラ４０が火災警報信号を発生する。
【００２５】
【表２】
0004066761.tif 000003
【００２６】
このモードが選択された時、コントローラ４０は、煙濃度（Ｄavg）の平均値を取得することに加えて、最初に第１煙濃度閾値（Ｓ１）を超えた時から９回連続してこの閾値（Ｓ１）を超えた煙濃度について、それぞれ閾値を超える超過量を算出する。次いで、この超過量の合計値（％／ｍ）を２で割った値を、煙濃度１単位当たり１秒とする換算率に基づいて秒に換算する。このようにして換算された値は、上記の時間テーブルから平均煙濃度に基づいて取り出された値に加算されて、火災判定時間が与えられる。この時間は、図５に示すように、９回目の火災警告状態から始まる。この火災判定時間の間にＳ≧Ｓ１の条件が継続した場合、コントローラ４０は、火災判定時間の経過直後に、火災警報信号を発生する。
【００２７】
３）第１複合閾値（既定モード、喫煙・湯気モード、暖房モードにあっては２Ｓ＋ΔＴ≧１２、クリーンルームモードにあっては合っては２Ｓ＋ΔＴ≧１０、調理モードにあっては２Ｓ＋ΔＴ≧１４）が満足された場合、調理モードが選択されているかいないかによって異なる火災判定時間が決定される。この火災警告状態は、図１に例示する火災特徴に見られるＴＦ１（木材発炎）やＴＦ５（ペプタン発炎）に固有のものである。
【００２８】
調理モードが選択されない場合、コントローラ４０は、第１の複合閾値（例えば、２Ｓ＋ΔＴ＝１２）を最初に超えたときから９回連続して超えた事象のそれぞれについて、その時点での温度差（ΔＴ）によって第１の複合閾値（例えば、２Ｓ＋ΔＴ＝１２）の直線に沿って変動する煙濃度閾値（ＶＳ）を超える煙濃度の超過量を算出する。次いで、コントローラ４０は超過量（％／ｍ）の合計を２で割って、この値を煙濃度１単位当たり１秒とする換算率に基づいて秒に換算する。このようにして変換された値（秒）が火災判定時間となり、この火災判定時間は、図６に示すように、９回目の火災警告状態から始まる。この火災判定時間中にこのような火災警告条件が継続した場合、コントローラ４０は、火災判定時間の経過直後に、火災警報信号を発生する。
【００２９】
調理モードが選択された場合、コントローラ４０は、第１の複合閾値を最初に超えたときから９回連続して超えた事象のそれぞれについて、異なる煙濃度閾値（ＶＳ）を超える煙濃度の超過量を算出する。次いで、コントローラ４０は超過量（％／ｍ）の合計を求め、この超過量の合計を、煙濃度１単位当たり１秒とする換算率に基づいて秒に換算する。このようにして変換された値（秒）が火災判定時間となり、この火災判定時間は、上記の場合と同様に、９回目の火災警告状態から始まり、この火災判定時間中にこのような火災警告条件が継続した場合、コントローラ４０は、火災判定時間の経過直後に、火災警報信号を発生する。このようにして、実際の環境及び火災原因の特性に応じて火災判定が高い信頼度で合理的に行うことができる。
【００３０】
上記の説明では、種々の閾値について個々の値や定数を例示したが、これらの値や定数は特定の要件や規格に応じで変更できるものである。
【００３１】
上記の火災判定や動作モードの選択は、メモリーに格納されたプログラムによって常時実行される。この手順の第１のステップ（ステップ１）では、検出したパラメータが主要基準のどれかを満足するかどうかをチェックする。これが満足されている場合、カウンターにて火災警告状態の火災カウント（Ｆapc）が１つ増加し（Fapc＝Fapc+１）、一方これが満足されていない場合は、火災カウント（Ｆapc）が１つ減少する（Fapc＝Fapc−１）。火災カウントが８を超えると（Fapc＞８）、火災カウントは固定され（Fapc=８）、火災判定プロセスが進行中であるかどうかがチェックされる。火災判定プロセスがまだ開始されていない場合、すなわち、ステップ２において火災条件が９回目に検知されたことを最初に認識した場合、コントローラはメモリーから判定時間を取りだして、この取り出した判定時間（Tmax）を参照して火災の判定の準備が完了する。この時、火災判定プロセスに入ったことを示す火災判定フラグを設定する。この火災警告状態が９回以上継続すると、ステップ２からステップ３及びステップ４に移行し、火災警報信号が発せられたかどうかをチェックする。火災警報信号がまだ発せられていない場合は、時間カウント（T）が１つ増加し（T=T+1）、次に、取り出された判定時間(Tmax)と比較され、ステップ５において、T＞Tmaxであるかをチェックする。上記の手順が繰り返されてT>Tmaxとなった場合、ステップ６において、再スタートフラッグがオンであるか、またステップ７で火災警報信号が既に発せられたかどうかがチェックされる。ステップ６、７のいずれの条件も満たされない場合は、火災警報信号が発せられる。
【００３２】
火災警告状態が生じた後に、このような状態が続かずに、火災カウントがゼロまでに減少してしまうと（Fapc=０）、ステップ８において、火災判定プロセスが開始されているかがチェックされる。もし開始されていれば、火災カウントをゼロにリセットする必要性を示す再スタートフラグが設定されて、火災判定プロセスの再スタートの準備がシステムにおいて行われる。再スタートフラグが設定された後で、且つ判定時間（Tmax）によって規定された時間が経過した後は、ステップ６の後に、火災カウント及び時間カウントをゼロにリセットし、再スタートフラグ及び火災判定フラグを解除することで、システムが別に生じる最初の火災警告状況に対して応答できるようになる。
【００３３】
図８は、上述したように、動作モードの一つを選択するために、上記の火災判定シーケンスと平行して繰り返される学習シーケンスを示す。この学習シーケンスは火災判定シーケンスに比べ長い時間間隔、例えば、１３分毎に実行される。本システムにおける学習機能を分かり易く説明するために、図示の学習シークエンスでは、喫煙・湯気モードが選択されたかどうか調べることを例示する。最初に、煙濃度（Ｓ）は、厳格な基準の第２煙閾値Ｓ２（主要基準における煙閾値Ｓ１の１／２）と比較される。Ｓ＞Ｓ２であれば、前にＳ＞Ｓ２となってから、すなわち、厳格な基準によって火災警告状態が検知されてから、３６時間以上過ぎているかがチェックされる。この条件が満足されると、この事象が生じた時の時刻がメモリー５０中の学習テーブル５３に記録されると同時に、学習カウントが１つ増加する。次いで、このような事象、すなわち、厳格な基準に基づく火災警告状況の記録が過去１月以前にあったかどうかをチェックする。このような記録があれば、過去１月以前の記録が削除されて学習カウントが１つ減少する。最後に、学習カウントが過去１月以内に３回以上、すなわち、厳格基準に基づく火災警告状況が過去１月以内に３回以上検出されたかどうかがチェックされる。この期間内にこの事象が３回以上あると、システムは喫煙・湯気モードを選択する。これ以外の場合は、このモードはオフとなる。同様にして、他の動作モード（暖房モード、調理モード、クリーンルームモード）についての検査が、上記の手順と並列または前後して行われる。
【００３４】
図９は、本発明の火災警報システムに適用される他の学習機能を説明するものである。この場合も、図４を参照して説明した上述の学習機能と同様に、厳格な主要基準である煙濃度（Ｓ≧Ｓ２＝２．５％／ｍ）、温度差（ΔＴ≧ＴＤ２＝１２℃）、第２複合閾値（２Ｓ + ΔＴ ≧１０）、温度（Ｔ≧Ｔ２＝４０℃）を用いて、煙と温度を検知する複合型検出器が設置された環境を学習し、この環境に適した火災判定方式を選択するものである。複合型検出器は、初期設定値として、主要基準が、煙濃度（Ｓ≧Ｓ１＝５％／ｍ）、温度差（ΔＴ≧ＴＤ１＝１８℃）、第１複合閾値（２Ｓ + ΔＴ ≧１２）、温度閾値Ｔ１（Ｔ≧Ｔ１＝５７℃）と設定されており、更に、火災判定時間を所定の時間、例えば、４５秒と設定されていて、これらの基準の少なくとも一つかが満たされた事象が火災判定時間の間、継続して発生する時に真の火災発生を示す火災判定信号が発せられる。
最初に、学習モードを動作させると、複合型検出器に内蔵されるコントローラは、上の厳格な主要基準に基づいて環境を調べ、図９に示すような以下の４つの環境モデルに該当するかどうかが評価され、この評価に基づいて初期設定値を変化させることで、実際の環境に応じた火災判定が行われる。
【００３５】
１）煙濃度Ｓ及び温度差ΔＴの変化が小さな環境モデル
学習モードが行われている期間に、煙濃度Ｓ及び温度差ΔＴの検知結果が厳格な基準を、満たす回数が所定値よりも少ない場合、すなわち、厳格な基準のＳ２、ＴＤ２、２Ｓ + ΔＴ ≧１０を満たすこと回数が少ない、あるいは全くない場合は、このモデルが選択され、初期設定値に比べて、温度差の閾値ＴＤ１、煙濃度の閾値Ｓ１、第１複合閾値による火災検出の感度を高めると共に、火災判定時間を短くし、これに基づいて火災の判定が行われる。
【００３６】
２）煙濃度Ｓの変動が大きな環境モデル
学習モードが行われている期間に、煙濃度Ｓの検知結果が厳格な基準が頻繁に認められて、この基準を満たす回数が所定回数よりも多い場合、すなわち、厳格な基準のＳ２及び２Ｓ + ΔＴ ≧１０を満たす回数が所定値よりも多く、且つ温度差の閾値ＴＤ２を満たす回数が所定値よりも少ない場合は、このモデルが選択され、初期設定値に比べて、火災判定時間を所定秒長く設定し、これに基づいて火災の判定が行われる。
【００３７】
３）煙濃度Ｓ及び温度差ΔＴの変動が大きな環境モデル
学習モードが行われている期間に、煙濃度Ｓ及び温度差ΔＴの検知結果が厳格な基準を、満たす回数が所定値よりも多い場合、すなわち、厳格な基準のＳ２、ＴＤ２、２Ｓ + ΔＴ ≧１０を満たすこと回数が多い場合は、このモデルが選択され、初期設定値に比べて、温度差の閾値ＴＤ１、煙濃度の閾値Ｓ１、第１複合閾値による火災検出の感度を弱めると共に、火災判定時間を所定秒長くして、これに基づいて火災の判定が行われる。
【００３８】
４）温度差ΔＴの変動が大きな環境モデル
学習モードが行われている期間に、温度差ΔＴの検知結果が厳格な基準を、満たす回数が所定値よりも多い場合、すなわち、厳格な基準のＴＤ２、２Ｓ + ΔＴ ≧１０を満たすこと回数が多く、且つ煙濃度Ｓ２を満たす回数が所定値よりも少ない場合は、このモデルが選択され、初期設定値に比べて、温度差の閾値ＴＤ１、第１複合閾値による火災検出の感度を弱め、火災判定時間は不変とする。この場合、温度閾値Ｔ１を初期設定値（Ｔ１＝５７℃）から下げるようにしても良い。また、温度閾値Ｔ１のみによる火災判定とすることもできる。
【００３９】
尚、学習機能によって、いずれの環境モデルが選択されたか否かに拘わらず、火災判定時間は上述の表２を参照して説明したように、火災の可能性を示す事象（平均煙濃度）を考慮して算出する火災判定時間と比較され、短い方の火災判定時間が使用される。
【００４０】
このような学習機能が付加されたことにより、複合型検知器の設置環境に即した信頼性の高い火災判定を行うことができるものであり、施工時において環境に併せる格別の設定を行うことなしに、実火災の早期発見を精度良く行え、非火災による誤報を少なくすることができる。
【００４１】
【発明の効果】
上述したように、本発明に係る火災警報システムにあっては、火災判定のために
（１）煙濃度Ｓが第１の煙閾値Ｓ１を超えるか[例えば、Ｓ≧５％／ｍ]、
（２）温度差ΔＴが第１の温度差閾値ＴＤ１を超えるか[例えば、ΔＴ≧１８℃]、
（３）煙濃度Ｓと温度差ΔＴとの組み合わせが、煙濃度Ｓの増加に伴って温度差ΔＴが減少する関数に基づく不等式［例えば、２Ｓ＋ΔＴ≧１２］を満足するかの主要基準を使用し、いずれかの主要基準のいずれかが満たされたときに、火災発生の可能性を示す火災警告信号を出力するものである。このように、煙濃度（Ｓ）、温度差（ΔＴ）、及びこれらのパラメータの関数に関して、適宜の基準を選択することにより、多種の環境において発生する火災の検出を精度良く検出できる。特に、温度差を一つの基準として採用し、この温度差（ΔＴ）を一つの変数として煙濃度（Ｓ）と組み合わせて不等式を構築することで、各種の原因にて引き起こされる火災について、早い時期において、信頼性の高い火災判定を容易に行うことができる。
【図面の簡単な説明】
【図１】本発明の一実施形態に係る火災警報システムにおいて火災判定のために使用される主要基準を示すグラフ図である。
【図２】同上の火災警報システムのブロック図である。
【図３】根火災警報を判定する以前に、既定モード、暖房モード、調理モード、喫煙・湯気モード、クリーンルームモードの内から一つを選択するために使用される厳格基準を示すグラフ図である。
【図４】上記の動作モードの関係を示す説明図である。
【図５】喫煙・湯気モードにおいて、上記の主要基準の一つである煙閾値を検出煙濃度が超過したことが原因で火災警告信号が出された時に、真の火災の存在を判定する方法を示すグラフ図である。
【図６】別の主要基準である不等式が満足されたことが原因で火災警告信号が出された時の、真の火災の存在を判定する方法を示すグラフ図である。
【図７】上記システムにおける火災判定手順を示すフロー図である。
【図８】上記のシステムにおける学習手順を示すフロー図である。
【図９】上記のシステムに適用される学習機能の説明図である。
【符号の説明】
１０  煙検出器
２０  温度検出器
４０  コントローラ
ΔＴ  温度差
Ｓ１  第１の煙閾値
ＴＤ１  第１の温度差閾値
【図１】
0004066761.tif 000004
【図２】
0004066761.tif 000005
【図３】
0004066761.tif 000006
【図４】
0004066761.tif 000007
【図５】
0004066761.tif 000008
【図６】
0004066761.tif 000009
【図７】
0004066761.tif 000010
【図８】
0004066761.tif 000011
【図９】
0004066761.tif 000012